(57)【要約】【課題】鞄や携帯物等の表面上に容易に着脱加工でき、大腸菌等の微生物に対する十分な抗菌性を有するアクセサリの提供を目的とする。【解決手段】本考案は、表面側及び裏面側の各々に皮革又は布帛から形成された外層材を備える扁平なアクセサリであって、この表面側及び裏面側の各々に備えられた外層材の外表面の少なくとも一部分は、抗菌剤によって処理されており、上記外層材の外表面における抗菌剤によって処理されている部分は、２．３×１０４個の大腸菌を接種し、３７±２℃にて１８時間保存して、２５個以下になる程度の抗菌性を有するアクセサリである。さらに、当該アクセサリの外層材の外表面における抗菌剤によって処理されている部分は、３．３×１０４個のぶどう球菌を接種し、３７±２℃にて１８時間保存して、２０個以下になる程度の抗菌性を有することが好ましい。【選択図】図１
0003154959.tif 000002
【実用新案登録請求の範囲】
【請求項１】
表面側及び裏面側の各々に、皮革又は布帛から形成された外層材を備える扁平なアクセサリであって、
この外層材の外表面の少なくとも一部分が、抗菌剤によって処理されており、
上記外層材の外表面における抗菌剤によって処理されている部分が、２．３×１０４個の大腸菌を接種し、３７±２℃にて１８時間保存して、２５個以下になる程度の抗菌性を有するアクセサリ。
【請求項２】
上記外層材の外表面における抗菌剤によって処理されている部分が、３．３×１０４個のぶどう球菌を接種し、３７±２℃にて１８時間保存して、２０個以下になる程度の抗菌性を有する請求項１に記載のアクセサリ。
【請求項３】
上記抗菌剤が、酢酸セルロース、ホウ酸、第４級アンモニウム塩、ニトリル系化合物、ピリジン系化合物、ハロアルキルチオ系化合物、有機ヨード系化合物、チアゾール系化合物及びベンズイミダゾール系化合物からなる群より選ばれる少なくとも１種である請求項１又は請求項２に記載のアクセサリ。
【請求項４】
上記表面側及び裏面側の外層材の間に、繊維を含む内層材を更に備える請求項１、請求項２又は請求項３に記載のアクセサリ。
【請求項５】
上記外層材の一部分が、表面側及び裏面側を貫通するように糸材で縫着されている請求項１から請求項４のいずれか１項に記載のアクセサリ。
【請求項６】
上記外層材の外表面の一部分に、ガラス材が埋設されている請求項１から請求項５のいずれか１項に記載のアクセサリ。
【考案の詳細な説明】
【技術分野】
【０００１】
本考案は、大腸菌等の微生物に対する抗菌性を有し、鞄、携帯物、装飾具、衣服等の表面上に固定されるアクセサリに関する。
【背景技術】
【０００２】
情報化社会の進展や広告宣伝方法の向上により、近年では、鞄、携帯物（定期券入れ、携帯電話機入れ等）、装飾具（ペンダント、ブレスレット等）、衣服などを含めた服飾分野におけるファッションの変遷速度は、益々大きいものとなっている。特に、若年層、青年層を対象とした服飾物の流行の移り変わりは、目まぐるしい状況である。
【０００３】
これに関連して、鞄、携帯物等に小型のバッチ形式のアクセサリを取り付けることにより、それらの鞄、携帯物等の外観から受けるイメージを大きく変化させることができることが知られている。そのため、そのようなバッチ形式で容易に着脱加工可能なアクセサリが普及しつつある。このようなバッチ形式のアクセサリは、小型であるため着脱加工が容易である上に、製造コストを抑制することが可能であるため、比較的安価であり、若年層や青年層による購入・使用に適しているという利点がある。
【０００４】
一方、人間の生活環境中には、大腸菌や黄色ぶどう球菌などの多くの微生物が存在している。これらの菌は人間の体内に侵入することによって、食中毒や抵抗力の低下を引き起こす虞がある。従って、これらの微生物が体内に侵入することを避けるために、身体近辺の清浄性を維持し、抗菌に心掛ける必要がある。このような衛生対策は、人間の身体自身のみならず、身体に接することが想定される鞄や携帯物、それらの表面上に固定されるアクセサリに対しても行うのが好ましい。
【０００５】
従って、上記のようなバッチ形式で鞄や携帯物等に取り付けることができるアクセサリについても、大腸菌や黄色ぶどう球菌などの微生物に対する抗菌性を有することが望ましいと考えられる。従来においては、抗菌性を有する筍の皮からなる抗菌性部材（特開２００９−３０２１０号公報参照）や、竹の繊維を主成分とする抗菌性布帛（特開２００３−３１０７２１号公報参照）が提案されている。しかし、これらの抗菌性部材又は布帛は、材料が自然物由来であって、調達が容易ではないため、製造コストが大きくなり、価格の上昇につながる場合がある。
【０００６】
また、ニトリル系化合物、ピリジン系化合物等からなる群より選択される化合物である薬剤を付与した、食品加工用作業着として用いられる繊維布帛（特開２００５−１５４９６５号公報参照）、ピリジン系抗菌剤などの有機系抗菌剤と金属を担持したジルコニウム等である無機系抗菌剤とを含有する抗菌性組成物を用いた抗菌性樹脂成形体（特開２００６−５２２０５号公報参照）、ポリエステル系難燃繊維と光触媒活性を有する抗菌性アクリロニトリル繊維とを含んでなる布帛（特開２００６−１７６９１４号公報参照）などの種々の抗菌性製品が提案されている。しかしながら、大腸菌や黄色ぶどう球菌などの微生物に対する十分な抗菌性を付与したアクセサリに関しては、未だ提案されていない。従って、これらの微生物に対する抗菌性を確実に発揮するような処理を施したアクセサリの開発が望まれている。
【先行技術文献】
【特許文献】
【０００７】
【特許文献１】特開２００９−３０２１０号公報
【特許文献２】特開２００３−３１０７２１号公報
【特許文献３】特開２００５−１５４９６５号公報
【特許文献４】特開２００６−５２２０５号公報
【特許文献５】特開２００６−１７６９１４号公報
【考案の概要】
【考案が解決しようとする課題】
【０００８】
本考案は、これらの不都合に鑑みてなされたものであり、鞄や携帯物等の表面上に容易に着脱加工することが可能であると共に、大腸菌等の微生物に対する十分な抗菌性を有するアクセサリを提供することを目的とするものである。
【課題を解決するための手段】
【０００９】
上記課題を解決するためになされた考案は、
表面側及び裏面側の各々に、皮革又は布帛から形成された外層材を備える扁平なアクセサリであって、
この外層材の外表面の少なくとも一部分が、抗菌剤によって処理されており、
上記外層材の外表面における抗菌剤によって処理されている部分が、２．３×１０４個の大腸菌を接種し、３７±２℃にて１８時間保存して、２５個以下になる程度の抗菌性を有するアクセサリである。
【００１０】
当該アクセサリは、表面側及び裏面側の各々に、皮革又は布帛から形成された外層材を備える比較的シンプルな構造を有するため、アクセサリの販売店舗の店頭等において、使用者の嗜好に応じて種々の輪郭への加工を容易に行うことができ、バッチ形式として様々な服飾品に対して着脱加工することが可能である。また、当該アクセサリは、皮革又は布帛から形成されているため、製品の感触や製造コストの調節の観点から、柔軟な材料選択を行うことができる。さらに、当該アクセサリにおいて、表面側及び裏面側の各々に備えられた外層材の外表面の少なくとも一部分が抗菌剤によって処理されており、かつこの部分が、２．３×１０４個の大腸菌を接種し、３７±２℃にて１８時間保存して、２５個以下になる程度の抗菌性を有することから、このようなアクセサリが鞄や携帯物等の表面上に固定され、使用者の身体に接する場合において、特に大腸菌に対する十分な抗菌効果を奏し、食中毒等を確実に防止することが可能となり、ひいては身体近辺の衛生性・安全性を高めることができる。なお、ここで「表面側」とは、当該アクセサリが実際に使用される状態において、その使用用途の観点から、主に外部からの視線に曝される面側を意味し、「裏面側」はその逆の面側を意味する。
【００１１】
当該アクセサリの外層材の外表面における抗菌剤によって処理されている部分は、３．３×１０４個のぶどう球菌を接種し、３７±２℃にて１８時間保存して、２０個以下になる程度の抗菌性を有することが好ましい。このように当該アクセサリの外層材の外表面が、特にぶどう球菌に対する所定の抗菌性を有することによって、このようなアクセサリを鞄や携帯物等の表面上に固定する場合において、ぶどう球菌に起因する使用者の抵抗力の低下等を効果的に抑制することが可能となり、身体近辺の衛生性・安全性をさらに向上させることができる。
【００１２】
当該アクセサリの外層材の外表面の少なくとも一部分を処理するための抗菌剤は、酢酸セルロース、ホウ酸、第４級アンモニウム塩、ニトリル系化合物、ピリジン系化合物、ハロアルキルチオ系化合物、有機ヨード系化合物、チアゾール系化合物及びベンズイミダゾール系化合物からなる群より選ばれる少なくとも１種であることが好ましい。これらの特定の抗菌剤を用いて外層材の外表面に対して抗菌処理を施すことによって、アクセサリの抗菌性を効果的に高めることができ、使用者の身体近辺の衛生性・安全性をより改善することが可能となる。
【００１３】
当該アクセサリは、表面側及び裏面側の外層材の間に、繊維を含む内層材を更に備えていてよい。このように、当該アクセサリが、上記外層材に加え、内層材を備えていることによって、アクセサリに適度な耐屈曲性を付与することができる。当該アクセサリがある程度の耐屈曲性を有することによって、アクセサリとしての外観をより確実に保持し、また十分な耐久性を付与することができる。
【００１４】
当該アクセサリの表裏両面の外層材の一部分は、それぞれの側を貫通するように糸材で縫着されていることが好ましい。このように、当該アクセサリにおいて、これらの外層材の間、あるいは上記内層材を挟むように配置された外層材の間で、表裏両面側を貫通させる形で糸材を縫着することにより、複層構造を形成する外層材（及び任意の内層材）を確実に固着し、アクセサリとしての外観を安定して保持することができる。また、このような糸材による逢着は、逢着部がデザイン的な効果を発揮し、アクセサリとしての美観をさらに向上させることが可能となる。
【００１５】
当該アクセサリの外層材の外表面の一部分には、ガラス材が埋設されていてよい。このように、当該アクセサリの外表面にガラス材を埋設することで、ガラス材からの光の反射による視覚効果が発揮され、アクセサリの外観に変化を与えると共に、美観を向上させることができる。
【考案の効果】
【００１６】
以上説明したように、本考案のアクセサリは、表面側及び裏面側の各々に、皮革又は布帛から形成された外層材を備えるため、種々の輪郭への加工が容易であり、様々な服飾品に対して着脱加工することができる。また、当該アクセサリは、皮革又は布帛から形成されているため、柔軟な材料選択を行うことができる。さらに、表面側及び裏面側の各々に備えられた外層材の外表面の少なくとも一部分が抗菌剤で処理されており、かつ２．３×１０４個の大腸菌を接種し、３７±２℃にて１８時間保存して、２０個以下になる程度の抗菌性を有することから、特に大腸菌に対する十分な抗菌効果を奏し、身体近辺の衛生性・安全性を高めることが可能となる。
【図面の簡単な説明】
【００１７】
【図１】図１は、本考案の一実施形態に係る抗菌性を有するアクセサリを示す斜視図である。
【図２】図２は、図１とは異なる実施形態に係る抗菌性を有するアクセサリを示す斜視図である。
【図３】図３は、図２のアクセサリの一部分を示す拡大斜視図である。
【図４】図４は、図１〜３とは異なる実施形態に係る抗菌性を有するアクセサリを示す概観図である。
【考案を実施するための形態】
【００１８】
以下、適宜図面を参照しつつ本考案の実施の形態を詳説する。
【００１９】
図１の抗菌性を有するアクセサリ１は、主に、表面側の外層材２、裏面側の外層材３、内層材４、糸材５、塗装済み側面部６及びガラス材７を備えている。
【００２０】
表面側の外層材２は、アクセサリ１の表面側の全面に配置された略一定厚みを有する層状部材である。表面側の外層材２を構成する材料としては、皮革又は布帛が用いられる。皮革としては、天然皮革又は合成皮革のいずれでも用いることができる。天然皮革の例としては、動物のなめし皮をポリウレタン又はポリウレタンウレアでコーティングしたものが挙げられる。合成皮革の例としては、織布や不織布の担体上にポリ塩化ビニルやポリウレタンの層を設けたものが挙げられる。布帛としては、例えばポリエステル系布帛、ポリオレフィン系布帛、ナイロン布帛等を用いることができる。
【００２１】
表面側の外層材２の平均厚みとしては、特に限定されないが、例えば０．５ｍｍ以上２ｍｍ以下とすることができる。表面側の外層材２の平均厚みを０．５ｍｍ以上とすることによって、アクセサリ１の耐屈曲性を適度なレベルに維持し、強度及び美観をバランス良く保つことができる。また、表面側の外層材２の平均厚みを２ｍｍ以下とすることで、この外層材２を含めたアクセサリ１の全体の厚みが過剰に大きくなることを防止することができ、美観を保持しつつ、アクセサリ１の製造・加工における取扱い性を向上させることが可能となる。
【００２２】
表面側の外層材２は、外表面の全体にわたって抗菌剤によって処理されており、この外層材２の外表面全体は、２．３×１０４個の大腸菌を接種し、３７±２℃にて１８時間保存して、２５個以下になる程度の抗菌性を有するように抗菌剤によって処理されている。さらに、この外層材２の外表面全体は、３．３×１０４個のぶどう球菌を接種し、３７±２℃にて１８時間保存して、２０個以下になる程度の抗菌性を有するように、抗菌剤によって処理されている。ここで用いられる抗菌剤の例としては、所望の抗菌効果を奏するものである限り特に限定されるものではないが、酢酸セルロース、ホウ酸、第４級アンモニウム塩、ニトリル系化合物、ピリジン系化合物、ハロアルキルチオ系化合物、有機ヨード系化合物、チアゾール系化合物及びベンズイミダゾール系化合物からなる群より選ばれる少なくとも１種が好ましい。これらの抗菌剤を用いた抗菌処理の方法は、特に限定されないが、例えば、水、及び／又は、エタノール、酢酸エチル、アセトン、クロロホルム等の有機溶剤などの適当な溶媒を用いた溶液を、刷毛塗り法、ロールコーター法、ディッピング法、スプレーコート法などの方法によって外層材２の外表面全体に塗布し、次いで適温で乾燥させることによって行うことができる。
【００２３】
ここでの大腸菌及びぶどう球菌の抗菌性試験は、ＪＩＳ−Ｌ１９０２：２００８の定量試験（菌液吸収法）に準じて行い、生菌数の測定方法としては混釈平板培養法を用いることとする。大腸菌の抗菌性試験では、無加工布である標準織布に対して所定の植菌（大腸菌として「Ｅｓｃｈｅｒｉｃｈｉａ  ｃｏｌｉ  ＮＢＲＣ３３０１」を使用し、例えば２．１×１０４個を接種）を行った際の生菌数を［ａ］、３７±２℃にて１８時間培養した後の生菌数を［ｂ］、抗菌性試験の対象である本実施形態のアクセサリに標準織布に対して行ったのと同様の植菌（２．３×１０４個の大腸菌接種）を行った際の生菌数を［ｏ］、及び３７±２℃にて１８時間保存した後の生菌数を［ｃ］とした場合（試験成立条件：増殖値（ｌｏｇ［ｂ］−ｌｏｇ［ａ］）が１以上である）において、この生菌数［ｃ］と、殺菌活性値（ｌｏｇ［ａ］−ｌｏｇ［ｃ］）と、静菌活性値（（ｌｏｇ［ｂ］−ｌｏｇ［ｃ］）−（ｌｏｇ［ｃ］−ｌｏｇ［ｏ］））とを記録する。ここで、試験菌液には、界面活性剤としてポリオキシエチレンソルビタンモノオレエート（例えば、東京化成工業株式会社製の「Ｔｗｅｅｎ８０」）を０．０５質量％の濃度で用いることとする。また、滅菌処理はＵＶ照射にて行うものとする。当該実施形態のアクセサリに関する大腸菌の抗菌性試験において、このように測定された生菌数［ｃ］は、２５個以下になる程度の抗菌性を有するように抗菌剤で処理される。また、この大腸菌の抗菌性試験において、殺菌活性値は２．８以上であることが好ましく、静菌活性値は６．０以上であることが好ましい。
【００２４】
ぶどう球菌の抗菌性試験では、無加工布である標準織布に対して所定の植菌（ぶどう球菌として「Ｓｔａｐｈｙｌｏｃｏｃｃｕｓ  ａｕｒｅｕｓ  ＡＴＣＣ６５３８Ｐ」を使用し、例えば２．５×１０４個を接種）を行った際の生菌数を［ａ］、３７±２℃にて１８時間培養した後の生菌数を［ｂ］、抗菌性試験の対象である本実施形態のアクセサリに標準織布に対して行ったのと同様の植菌（３．３×１０４個のぶどう球菌接種）を行った際の生菌数を［ｏ］、及び３７±２℃にて１８時間保存した後の生菌数を［ｃ］とした場合（試験成立条件：増殖値（ｌｏｇ［ｂ］−ｌｏｇ［ａ］）が１以上である）において、この生菌数［ｃ］と、殺菌活性値（ｌｏｇ［ａ］−ｌｏｇ［ｃ］）と、静菌活性値（（ｌｏｇ［ｂ］−ｌｏｇ［ｃ］）−（ｌｏｇ［ｃ］−ｌｏｇ［ｏ］））とを記録する。ここで、上記同様、試験菌液には、界面活性剤としてポリオキシエチレンソルビタンモノオレエート（例えば、東京化成工業株式会社製の「Ｔｗｅｅｎ８０」）を０．０５質量％の濃度で用いることとする。また、滅菌処理はＵＶ照射にて行うものとする。当該実施形態のアクセサリに関するぶどう球菌の抗菌性試験において、このように測定された生菌数［ｃ］は、２０個以下になる程度の抗菌性を有するように抗菌剤で処理される。また、このぶどう球菌の抗菌性試験において、殺菌活性値は２．８以上であることが好ましく、静菌活性値は５．５以上であることが好ましい。
【００２５】
このように、表面側の外層材２の外表面全体について、大腸菌及びぶどう球菌に対する所定のレベル以上の抗菌効果を付与するように抗菌剤処理を施すことによって、これらの菌に対する十分高い抗菌作用が奏され、アクセサリ使用者の食中毒や抵抗力の低下を未然に防止することが可能となり、身体近辺の衛生性及び安全性を確実に向上させることができる。
【００２６】
裏面側の外層材３は、アクセサリ１の裏面側の全面に配置された略一定厚みを有する層状の部材である。裏面側の外層材３を構成する材料としては、表面側の外層材２と同様、上で挙げたような皮革又は布帛を用いることができる。裏面側の外層材３の平均厚みとしては、特に限定されないが、表面側の外層材２と同様に、例えば０．５ｍｍ以上２ｍｍ以下とすることができる。裏面側の外層材３の平均厚みをこのような範囲に調節することによって、アクセサリ１の耐屈曲性、美観、製造・加工における取扱い性等をバランス良く向上させることができる。
【００２７】
裏面側の外層材３は、表面側の外層材２と同様に、外表面の全体にわたって抗菌剤によって処理されており、この外層材３の外表面全体は、２．３×１０４個の大腸菌を接種し、３７±２℃にて１８時間保存して、２５個以下になる程度の抗菌性を有するように、抗菌剤によって処理されている。さらに、同じ外層材３の外表面全体は、３．３×１０４個のぶどう球菌を接種し、３７±２℃にて１８時間保存して、２０個以下になる程度の抗菌性を有するように、抗菌剤によって処理されている。裏面側の外層材３に対する大腸菌及びぶどう球菌の抗菌性試験は、表面側の外層材２と同様に、ＪＩＳ−Ｌ１９０２：２００８の定量試験（菌液吸収法）に準じて行った。また、裏面側の外層材３に対する大腸菌の抗菌性試験において、殺菌活性値は２．８以上、静菌活性値は６．０以上であることが好ましく、一方、ぶどう球菌の抗菌性試験において、殺菌活性値は２．８以上、静菌活性値は５．５以上であることが好ましい。
【００２８】
内層材４は、表面側の外層材２と裏面側の外層材３との間に設けられた略一定厚みを有する層状部材である。内層材４は、適度な強度と柔軟性とを有するように、繊維を含んで構成することが好ましい。内層材４の材料としては、例えば紙繊維（紙パルプ）及び合成ラテックスを含む合成皮革が用いられる。内層材４の平均厚みは、特に限定されないが、例えば０．２ｍｍ以上１ｍｍ以下とすることができる。内層材４の平均厚みを０．２ｍｍ以上とすることによって、表裏面側の外層材２、３及びこの内層材４を含めた複層構造全体の耐屈曲性を適度な範囲に調整し、アクセサリ１の美観を保持することができる。また内層材４の平均厚みを１ｍｍ以下とすることによって、アクセサリ１の全体の厚みが過剰に大きくなって美観が低下することを防止することができる。
【００２９】
内層材４は、表面側の外層材２及び裏面側の外層材３との間において、適当な接着剤によって接合される。このような接着剤の例としては、ポリイソシアネート系接着剤、ポリビニルアルコール系接着剤、エポキシ系接着剤、ポリアミド系接着剤、ポリエステル系接着剤、ポリウレタン系接着剤などが挙げられる。
【００３０】
表面側の外層材２、裏面側の外層材３及び内層材４は、上記のように、適当な接着剤によって接合された後、この接合物の表裏両面側を貫通するように糸材で縫着される。糸材の材質としては、公知のいずれのものも用いることができるが、強度及び美観のバランスの観点から、典型的には０．０８ｍｍ以上１ｍｍ以下の平均直径を有するものを用いることができる。このように、表裏面側の外層材２、３及び内層材４を糸材で縫着することにより、これらの複層構造を確実に維持し、その結果としてアクセサリ１の外観・美観を安定的に保持することができる。さらには、このような糸材による逢着部は、図示するように、表裏面側の外層材２、３の外表面においてデザインを構成することで、アクセサリ１の美観がさらに向上する。
【００３１】
塗装済み側面部６は、アクセサリ１の側面、すなわち表面側の外層材２、裏面側の外層材３及び内層材４の複層構造体の側面に対して塗装を施した部分である。このような塗装は、アクセサリ１としての美観を改善するために、表面側の外層材２、裏面側の外層材３及び内層材４の積層状態が外部から明確に判別できないようにする目的で行われる。塗装済み側面部６は、一般的に、このアクセサリ１の色彩（例えば黄色、赤色など）と同じ色彩の着色剤（顔料又は染料）、アクリル系エマルジョン等の重合性ポリマーなどを水に溶解したものを対象部分に塗布し、次いで乾燥させることによって形成することができる。
【００３２】
ガラス材７は、アクセサリ１の美観を向上させる目的で、表面側の外層材２の外表面に穿設された孔に埋設される外装部材である。ガラス材７を構成するガラスとしては、公知のいずれのものも用いることができるが、アクセサリ１の美観の向上に資する程度の光沢を有するものが使用される。ガラス材７の形状は、特に限定されるものではないが、発する光沢をより増大させる観点から、一部に鋭角部を有する略球形のものが好ましく用いられる。ガラス材７の平均径は、使用者の嗜好に合わせて柔軟に変更することが可能であるが、例えば１ｍｍ以上４ｍｍ以下とすることができる。また、ガラス材７の設置箇所及び数も、使用者毎に適宜決定することができる（図中、７箇所を例示）。
【００３３】
アクセサリ１の製造方法は、特に限定されるものではないが、例えば、（ｉ）所望の色彩の着色剤を含む水溶液に浸漬処理することによって予め着色し、かつ大腸菌及びぶどう球菌に対して所定の抗菌効果を奏するように抗菌剤で処理した、表面側外層材用及び裏面側外層材用の比較的大面積である皮革又は布帛の層状部材を用意する工程、（ｉｉ）繊維を含む内層材用の比較的大面積である層状部材を用意し、これを上記の皮革又は布帛の層状部材で挟み込む形で、適当な接着剤を用いて接合し、複層構造体を作成する工程、（ｉｉｉ）抜き型を用いて、この複層構造体を所望の形状にカットする工程、（ｉｖ）所望の形状にカットした複層構造体の側面に、外層用部材と同じ色彩の塗装を施す工程、（ｖ）ミシンを用いて、この側面に塗装を施した複層構造体を適当な糸材で逢着する工程、及び（ｖｉ）このように逢着した複層構造体の表面側の所望の箇所に孔を穿設し、適当な接着剤を用いてそこにガラス材を固着させる工程によって、アクセサリ１を製造することができる。上記の抗菌剤による処理は、例えば複層構造体の側面に塗装を施した後であって、糸材を用いた逢着及びガラス材の設置の前に行うこともできる。アクセサリ１は、このように簡易な方法によって製造することができるため、使用者の様々な嗜好に合わせて、所望の輪郭への加工を容易かつ確実に行うことができる。
【００３４】
このように本実施形態のアクセサリは、表面側及び裏面側における外層材の外表面の少なくとも一部分が、２．３×１０４個の大腸菌、３．３×１０４個のぶどう球菌を接種し、３７±２℃にて１８時間保存して、それぞれ２５個以下、２０個以下になる程度の抗菌性を有するように抗菌剤で処理されていることから、特に大腸菌及びぶどう球菌に対する十分な抗菌効果を奏し、食中毒や抵抗力の低下等を確実に防止することが可能となり、ひいては身体近辺の衛生性・安全性を高めることができる。また本実施形態のアクセサリは、繊維を含む内層材を更に備えていていることから、アクセサリに適度な耐屈曲性を付与することができ、アクセサリとしての外観の保持及び耐久性の向上が可能となる。さらに、本実施形態のアクセサリは、表裏両面側を貫通するように糸材で縫着されているため、アクセサリとしての外観を安定して保持することができると共に、美観をさらに向上させることができる。加えて、本実施形態のアクセサリは、外表面にガラス材が埋設されているため、ガラス材からの光の反射による視覚効果により美観をさらに向上させることができる。
【００３５】
図２及び図３の抗菌性を有するアクセサリ８は、主に、第一の外層材９、第二の外層材１０、糸材１１、塗装済み側面部１２、留め金１３及び弾性係止部１４を備えている（「第一の外層材」及び「第二の外層材」は、略同一の構造を有する対称部材であり、便宜上いずれかを「表面側の外層材」、他方を「裏面側の外層材」と称することもできる）。このアクセサリ８は、手に提げて保持する場合や、何らかの突起物に引っ掛けて保持する場合などを想定して、第一の外層材９及び第二の外層材１０が、ループ状バンド部材を形成するように、所定箇所で留め金１３によって固定されている。
【００３６】
第一の外層材９及び第二の外層材１０の基本的な構造及び抗菌処理は、上記実施形態における表面側の外層材２、裏面側の外層材３と同様である。また、糸材１１及び塗装済み側面部１２の構成も、上記実施形態における糸材５、塗装済み側面部６と同様である。第一の外層材９及び第二の外層材１０は、互いに略同一の扁平な縦長形状を有しており、特に限定されないが、例えば５ｍｍ以上１５ｍｍ以下の平均幅と１５０ｍｍ以上６００ｍｍ以下の長手寸法とを有している。本実施形態のアクセサリ８は、上記実施形態のアクセサリ１とは異なり、内層材を有していない。これは、アクセサリ８が、手に提げて保持する場合や、何らかの突起物に引っ掛けて保持する場合などを想定していることから、ある程度大きな柔軟性を発揮することが求められるためである。アクセサリ８において、第一の外層材９及び第二の外層材１０は、内層材を設けることなく、適当な接着剤を用いることによって直接接合されている。
【００３７】
留め金１３は、上述の通り、第一の外層材９及び第二の外層材１０がループ状バンド部材を形成するように、固定するための金属部材である。留め金１３を構成する金属としては、特に限定されないが、強度、耐久性、コストなどの総合的な観点から、真鍮が最も好ましい。留め金１３の形状は、第一及び第二の外層材９、１０を固定することが可能である限り特に限定されるものではないが、一般的には、図示されるように円形のものが用いられる。また、図２において、紙面とは逆面側の留め金１３に対応した箇所には、留め金１３と略同一形状の対となる留め金が、互いに回転可能に形成されているとよい。このように一対の留め金構造を用いることによって、第一の外層材９及び第二の外層材１０を確実に固定しながらも、アクセサリとしての柔軟な外観変更が可能となる。
【００３８】
弾性係止部１４は、弾性的に係止及びその解除が可能な構造を有している。弾性係止部１４は、一般的に金属によって形成される。アクセサリ８がこのような弾性係止部１４を有することによって、当該アクセサリを所望の箇所に容易に係止及び解除することができる。弾性係止部１４の構成する金属は、公知のいずれの金属であってもよいが、留め金１３の同様のものを用いることによって、製造工程の効率化及びコスト削減が可能となる。
【００３９】
このように、本実施形態のアクセサリは、上記実施形態と同様に、両面側における外層材の外表面の少なくとも一部分が、２．３×１０４個の大腸菌、３．３×１０４個のぶどう球菌を接種し、３７±２℃にて１８時間保存して、それぞれ２５個以下又は２０個以下になる程度の抗菌性を有するように抗菌剤で処理されていることから、特に大腸菌及びぶどう球菌に対する十分な抗菌効果を奏し、食中毒や抵抗力の低下等を確実に防止することが可能となり、ひいては身体近辺の衛生性・安全性を高めることができる。また、本実施形態のアクセサリは、内層材を省いた構造を有することから、手に提げて保持する場合や、何らかの突起物に引っ掛けて保持する場合などを想定した縦長の構造体として好適に用いることができる。さらに、本実施形態のアクセサリは、留め金及び弾性係止部を有することから、外層材を確実に固定して安定した外観を保持することができると共に、所望の箇所への係止及び解除が可能となる。
【００４０】
図４の抗菌性を有するアクセサリ複合体１５は、アクセサリ１６と、アクセサリ１７と、アクセサリ１８とを、留め金１９及び留め金２０によって接続した複数のアクセサリの複合体である。
【００４１】
アクセサリ１６及びアクセサリ１７の基本的な構造及び抗菌処理は、図１に係る実施形態に関して上述したものと同様である（但し、アクセサリ１６にはガラス材が設置されていない）。また、アクセサリ１８の基本的な構造及び抗菌処理は、図２及び３に係る実施形態に関して上述したものと同様である。また、留め金１９及び留め金２０の材質等は、図２及び図３に係る実施形態に関して上述したもの（留め金１３）と同様である。こうして、上述のような大腸菌及びぶどう球菌に対する所定の抗菌作用を奏するように抗菌剤で処理した複数のアクセサリを、任意の組み合わせで複合化することによって、フレキシビリティに富んだデザインを有するアクセサリの複合体を創成することが可能となり、衛生性・安全性を十分確保しながら、使用者の嗜好の多様化に容易に対応することができる。
【００４２】
本考案のアクセサリは、上記の実施形態に限定されるものではない。例えば、本考案のアクセサリは、大腸菌に対する上記所定の抗菌性及びぶどう球菌に対する抗菌性のいずれかのみを満足する程度の抗菌性を有しているものであってもよい。また、当該アクセサリの形状は、特に限定されず、使用者の嗜好に応じて変化に富んだ形を有するものとして加工することができる。さらに、アクセサリのサイズが小さい場合は、糸材による逢着を行わなくてよく、また、ガラス材の設置は、嗜好及びコスト次第で省いてもよい。
【００４３】
（抗菌性試験）
以下、本考案のアクセサリが備える外層材を抗菌性試験に則して説明するが、本考案のアクセサリは、これらの具体的な試験方法及び結果の詳細によって限定されるものではない。
【００４４】
［大腸菌に対する抗菌性試験］
大腸菌の抗菌性試験は、ＪＩＳ−Ｌ１９０２：２００８の定量試験（菌液吸収法）に準じて行い、生菌数の測定方法としては混釈平板培養法を用いた。試験対象としては、酢酸セルロースを１０質量％含有するエタノール溶液を全面に塗布し、次いで乾燥させた抗菌処理済み天然皮革の外層材の試験片（２０ｍｍ×２０ｍｍ×３ｍｍ）を用い、大腸菌としては、「Ｅｓｃｈｅｒｉｃｈｉａ  ｃｏｌｉ  ＮＢＲＣ３３０１」を使用した。また、試験菌液には、界面活性剤として東京化成工業株式会社製の「Ｔｗｅｅｎ８０」を０．０５質量％の濃度で用い、滅菌処理はＵＶ照射にて行った。無加工布である標準織布に対して植菌を行った際の生菌数を［ａ］（生菌数：２．１×１０４）、３７±２℃にて１８時間培養した後の生菌数を［ｂ］（生菌数：６．７×１０７）、抗菌処理済みの試験片に対して植菌を行った際の生菌数を［ｏ］（生菌数：２．３×１０４）、及び３７±２℃にて１８時間保存した後の生菌数を［ｃ］とし、この生菌数［ｃ］と、殺菌活性値（ｌｏｇ［ａ］−ｌｏｇ［ｃ］）と、静菌活性値（（ｌｏｇ［ｂ］−ｌｏｇ［ｃ］）−（ｌｏｇ［ｃ］−ｌｏｇ［ｏ］））とを記録した。［ｃ］は２．０×１０であり、２５個以下の生菌数であることが分かった。また、殺菌活性値は３．０、静菌活性値は６．６であり、両方とも良好な値であった。
【００４５】
［ぶどう球菌に対する抗菌性試験］
ぶどう球菌の抗菌性試験は、ＪＩＳ−Ｌ１９０２：２００８の定量試験（菌液吸収法）に準じて行い、生菌数の測定方法としては混釈平板培養法を用いた。試験対象としては、上記同様の抗菌処理を施した天然皮革の外層材の試験片（２０ｍｍ×２０ｍｍ×３ｍｍ）を用い、ぶどう球菌としては、「Ｓｔａｐｈｙｌｏｃｏｃｃｕｓ  ａｕｒｅｕｓ  ＡＴＣＣ６５３８Ｐ」を使用した。また、試験菌液には、界面活性剤として東京化成工業株式会社製の「Ｔｗｅｅｎ８０」を０．０５質量％の濃度で用い、滅菌処理はＵＶ照射にて行った。無加工布である標準織布に対して植菌を行った際の生菌数を［ａ］（生菌数：２．５×１０４）、３７±２℃にて１８時間培養した後の生菌数を［ｂ］（生菌数：８．４×１０６）、抗菌処理済みの試験片に対して植菌を行った際の生菌数を［ｏ］（生菌数：３．３×１０４）、及び３７±２℃にて１８時間保存した後の生菌数を［ｃ］とし、この生菌数［ｃ］と、殺菌活性値（ｌｏｇ［ａ］−ｌｏｇ［ｃ］）と、静菌活性値（（ｌｏｇ［ｂ］−ｌｏｇ［ｃ］）−（ｌｏｇ［ｃ］−ｌｏｇ［ｏ］））とを記録した。［ｃ］は２０未満であった。また、殺菌活性値は３．１以上、静菌活性値は５．７以上であり、両方とも良好な値であった。
【産業上の利用可能性】
【００４６】
本考案の抗菌性を有するアクセサリは、大腸菌（及び黄色ぶどう球菌）に対する抗菌性を有すると共に、柔軟な製造・加工が可能であるため、鞄、携帯物、装飾具、衣服等の表面上に固定されるアクセサリとして好適に用いられる。また、当該アクセサリは、携帯電話機ケース、定期券ケース、ＩＤカード等のカードケース、犬の首輪などにも利用することができる。
【符号の説明】
【００４７】
１  アクセサリ
２  表面側の外層材
３  裏面側の外層材
４  内層材
５  糸材
６  塗装済み側面部
７  ガラス材
８  アクセサリ
９  第一の外層材
１０  第二の外層材
１１  糸材
１２  塗装済み側面部
１３  留め金
１４  弾性係止部
１５  アクセサリ複合体
１６、１７、１８  アクセサリ
１９、２０  留め金
２１  ガラス材  
【図１】
0003154959.tif 000003
【図２】
0003154959.tif 000004
【図３】
0003154959.tif 000005
【図４】
0003154959.tif 000006